(57)【要約】【課題】テレビジョン受像機において、デジタルチューナを用いて受信したＴＶ番組の映像をユーザが視聴しているときに、録画装置がデジタルチューナを用いてＴＶ番組を録画する場合に、ユーザがチューナを切り替える手間や、チャンネル番号を設定する手間をなくす。【解決手段】デジタルテレビ（テレビジョン受像機）は、ハードディスクレコーダ（録画装置）がデジタルチューナを用いてＴＶ番組のタイマ録画を開始するか判断し（Ｓ１）、タイマ録画を開始する場合（Ｓ２でＹＥＳ）、デジタルチューナを用いて受信しているＴＶ番組のチャンネル番号をメモリに記憶した後（Ｓ３）、ＴＶ番組を受信するチューナをデジタルチューナからアナログチューナに切り替えると共に（Ｓ４）、アナログチューナを用いて受信するＴＶ番組のチャンネル番号をメモリに記録されたチャンネル番号と同じチャンネル番号に設定する（Ｓ５）。【選択図】図３
2007295339.tif 000002
【特許請求の範囲】
【請求項１】
テレビジョン（以下、ＴＶという）番組を録画可能な録画装置に接続され、
前記ＴＶ番組を含む地上波デジタル放送を受信するデジタルチューナと、
前記ＴＶ番組を含む地上波アナログ放送を受信するアナログチューナと、
前記ＴＶ番組の映像を表示するためのディスプレイと、
装置各部を制御する制御手段とを備えるテレビジョン受像機において、
前記ＴＶ番組のチャンネル番号を記憶するメモリと、
前記ディスプレイに表示するＴＶ番組を受信するチューナを切り替えるチューナ切り替え手段と、
前記デジタルチューナ、又は前記アナログチューナを用いて受信する前記ＴＶ番組のチャンネル番号を設定するチャンネル番号設定手段とをさらに備え、
前記制御手段は、
前記デジタルチューナを用いて受信した前記ＴＶ番組の映像を前記ディスプレイに表示しているときに、前記録画装置が該デジタルチューナを用いてタイマ録画で前記ＴＶ番組を録画する場合、
前記デジタルチューナを用いて受信している前記ＴＶ番組のチャンネル番号を前記メモリに記憶した後、
前記チューナ切り替え手段を用いて、前記ディスプレイに表示するＴＶ番組を受信するチューナを前記デジタルチューナから前記アナログチューナに切り替えると共に、該アナログチューナを用いて受信する前記ＴＶ番組のチャンネル番号を、前記チャンネル番号設定手段を用いて前記メモリに記録されたチャンネル番号と同じチャンネル番号に設定した後、
前記録画装置による前記ＴＶ番組の前記タイマ録画が終了したときに、
前記チューナ切り替え手段を用いて、前記ディスプレイに表示するＴＶ番組を受信するチューナを前記アナログチューナから前記デジタルチューナに切り替えると共に、該デジタルチューナを用いて受信する前記ＴＶ番組のチャンネル番号を、前記チャンネル番号設定手段を用いて前記メモリに記録されたチャンネル番号と同じチャンネル番号に設定することを特徴とするテレビジョン受像機。
【請求項２】
テレビジョン（以下、ＴＶという）番組を録画可能な録画装置に接続され、
前記ＴＶ番組を含むアナログ放送を受信するアナログチューナと、
前記ＴＶ番組の映像を表示するためのディスプレイと、
装置各部を制御する制御手段とを備え、
前記ＴＶ番組を含むデジタル放送を受信するデジタルチューナを利用可能なテレビジョン受像機において、
前記ＴＶ番組のチャンネル番号を記憶するチャンネル番号記憶手段と、
前記ディスプレイに表示するＴＶ番組を受信するチューナを切り替えるチューナ切り替え手段と、
前記デジタルチューナ、又は前記アナログチューナを用いて受信する前記ＴＶ番組のチャンネル番号を設定するチャンネル番号設定手段とをさらに備え、
前記制御手段は、
前記デジタルチューナを用いて受信した前記ＴＶ番組の映像を前記ディスプレイに表示しているときに、前記録画装置が該デジタルチューナを用いて前記ＴＶ番組を録画する場合、
前記デジタルチューナを用いて受信している前記ＴＶ番組のチャンネル番号を前記チャンネル番号記憶手段に記憶した後、
前記チューナ切り替え手段を用いて、前記ディスプレイに表示するＴＶ番組を受信するチューナを前記デジタルチューナから前記アナログチューナに切り替えると共に、該アナログチューナを用いて受信する前記ＴＶ番組のチャンネル番号を、前記チャンネル番号設定手段を用いて前記チャンネル番号記憶手段に記録されたチャンネル番号と同じチャンネル番号に設定することを特徴とするテレビジョン受像機。
【請求項３】
前記録画装置による前記ＴＶ番組の録画が終了したときに、
前記チューナ切り替え手段を用いて、前記ディスプレイに表示するＴＶ番組を受信するチューナを前記アナログチューナから前記デジタルチューナに切り替えると共に、該デジタルチューナを用いて受信する前記ＴＶ番組のチャンネル番号を、前記チャンネル番号設定手段を用いて前記チャンネル番号記憶手段に記録されたチャンネル番号と同じチャンネル番号に設定することを特徴とする請求項２に記載のテレビジョン受像機。
【発明の詳細な説明】
【技術分野】
【０００１】
本発明は、デジタルチューナ、及びアナログチューナを備えるテレビジョン受像機に関する。
【背景技術】
【０００２】
近年、テレビジョン（以下、ＴＶという）放送をデジタル化したデジタル方法が推進されている。デジタル放送は、従来のアナログ放送に比べて高画質・高音質であるＴＶ番組を放送することができる。そのため、ＴＶ番組を含むデジタル放送を受信することができるデジタルチューナを備えたデジタルテレビが普及している。しかし、デジタルテレビは、地域によりデジタル放送の導入時期が異なる等の理由により、従来のアナログ放送の受信を行うアナログチューナをさらに備えていることが多い。
【０００３】
また、従来からＴＶ番組を録画可能なハードディスクレコーダが知られている。ハードディスクレコーダが、アナログチューナを備え、デジタルチューナを備えていない場合、ハードディスクレコーダは、それ自体で、デジタル放送によるＴＶ番組を受信することができない。しかし、この場合でも、デジタルテレビとハードディスクレコーダとをケーブルを介して接続し、デジタルテレビのデジタルチューナを用いて受信したＴＶ番組を、ケーブルを介してハードディスクレコーダに送信することにより、ハードディスクレコーダがデジタル放送のＴＶ番組を録画することができる。
【０００４】
しかし、従来のデジタルテレビでは、デジタルチューナを用いて受信したＴＶ番組の映像をディスプレイに表示しているときに、デジタルチューナを用いて受信したＴＶ番組をハードディスクレコーダに送信する場合、デジタルチューナを用いて受信するＴＶ番組を自動的に録画するＴＶ番組に変更してしまう。具体的には、デジタルチューナを用いて８チャンネルのＴＶ番組の映像をユーザが視聴しているときに、ハードディスクレコーダがデジタルチューナを用いて１０チャンネルのＴＶ番組を録画する場合、デジタルテレビはデジタルチューナを用いて１０チャンネルのＴＶ番組を受信すると共に、１０チャンネルのＴＶ番組の映像をディスプレイに表示する。
【０００５】
そのため、ユーザは、８チャンネルのＴＶ番組を視聴し続けるために、ＴＶ番組を受信するチューナをアナログチューナに切り替えた後、受信するＴＶ番組のチャンネル番号を８チャンネルに切り替える操作しなければならない。従って、ユーザがチューナを切り替える手間や、チャンネル番号を設定する手間がかかるという問題がある。
【０００６】
これに対して、特許文献１の発明は、デジタル放送の選局を行ったときに、選局したＴＶ番組と同一内容のＴＶ番組がアナログ放送によって放送中であるかどうかを判定し、同一内容のＴＶ番組が放送中であるときに、デジタル放送が受信不可能となった場合、アナログ放送を受信するように切り替えるデジタルテレビである。
【０００７】
また、特許文献２の発明は、装置各部を制御するシステムコントローラと、このシステムコントローラに対して、録画予約時間が到来すると予約録画（タイマ録画）を実行するように制御する制御信号を送信するタイマ部とを備え、録画予約されたＴＶ番組を確実に録画するデジタル放送受信システムである。
【０００８】
しかし、上記特許文献１及び２に記載された発明では、デジタルチューナを用いて受信したＴＶ番組の映像をユーザが視聴しているときに、ハードディスクレコーダがデジタルチューナを用いてＴＶ番組を録画する場合に、ユーザがチューナを切り替える手間や、チャンネル番号を設定する手間をなくすことができない。
【特許文献１】特開２００１−１２８０７８号公報
【特許文献２】特開平１０−２２９５４２号公報
【発明の開示】
【発明が解決しようとする課題】
【０００９】
本発明は、上述した問題点を解決するためになされたものであり、デジタルチューナを用いて受信したＴＶ番組の映像をユーザが視聴しているときに、録画装置がデジタルチューナを用いてＴＶ番組を録画する場合に、ユーザがチューナを切り替える手間や、チャンネル番号を設定する手間をなくすことができるテレビジョン受像機を提供することを目的とする。
【課題を解決するための手段】
【００１０】
上記目的を達成するために請求項１の発明は、テレビジョン（以下、ＴＶという）番組を録画可能な録画装置に接続され、前記ＴＶ番組を含む地上波デジタル放送を受信するデジタルチューナと、前記ＴＶ番組を含む地上波アナログ放送を受信するアナログチューナと、前記ＴＶ番組の映像を表示するためのディスプレイと、装置各部を制御する制御手段とを備えるテレビジョン受像機において、前記ＴＶ番組のチャンネル番号を記憶するメモリと、前記ディスプレイに表示するＴＶ番組を受信するチューナを切り替えるチューナ切り替え手段と、前記デジタルチューナ、又は前記アナログチューナを用いて受信する前記ＴＶ番組のチャンネル番号を設定するチャンネル番号設定手段とをさらに備え、前記制御手段は、前記デジタルチューナを用いて受信した前記ＴＶ番組の映像を前記ディスプレイに表示しているときに、前記録画装置が該デジタルチューナを用いてタイマ録画で前記ＴＶ番組を録画する場合、前記デジタルチューナを用いて受信している前記ＴＶ番組のチャンネル番号を前記メモリに記憶した後、前記チューナ切り替え手段を用いて、前記ディスプレイに表示するＴＶ番組を受信するチューナを前記デジタルチューナから前記アナログチューナに切り替えると共に、該アナログチューナを用いて受信する前記ＴＶ番組のチャンネル番号を、前記チャンネル番号設定手段を用いて前記メモリに記録されたチャンネル番号と同じチャンネル番号に設定した後、前記録画装置による前記ＴＶ番組の前記タイマ録画が終了したときに、前記チューナ切り替え手段を用いて、前記ディスプレイに表示するＴＶ番組を受信するチューナを前記アナログチューナから前記デジタルチューナに切り替えると共に、該デジタルチューナを用いて受信する前記ＴＶ番組のチャンネル番号を、前記チャンネル番号設定手段を用いて前記メモリに記録されたチャンネル番号と同じチャンネル番号に設定するものである。
【００１１】
請求項２に記載の発明は、テレビジョン（以下、ＴＶという）番組を録画可能な録画装置に接続され、前記ＴＶ番組を含むアナログ放送を受信するアナログチューナと、前記ＴＶ番組の映像を表示するためのディスプレイと、装置各部を制御する制御手段とを備え、前記ＴＶ番組を含むデジタル放送を受信するデジタルチューナを利用可能なテレビジョン受像機において、前記ＴＶ番組のチャンネル番号を記憶するチャンネル番号記憶手段と、前記ディスプレイに表示するＴＶ番組を受信するチューナを切り替えるチューナ切り替え手段と、前記デジタルチューナ、又は前記アナログチューナを用いて受信する前記ＴＶ番組のチャンネル番号を設定するチャンネル番号設定手段とをさらに備え、前記制御手段は、前記デジタルチューナを用いて受信した前記ＴＶ番組の映像を前記ディスプレイに表示しているときに、前記録画装置が該デジタルチューナを用いて前記ＴＶ番組を録画する場合、前記デジタルチューナを用いて受信している前記ＴＶ番組のチャンネル番号を前記チャンネル番号記憶手段に記憶した後、前記チューナ切り替え手段を用いて、前記ディスプレイに表示するＴＶ番組を受信するチューナを前記デジタルチューナから前記アナログチューナに切り替えると共に、該アナログチューナを用いて受信する前記ＴＶ番組のチャンネル番号を、前記チャンネル番号設定手段を用いて前記チャンネル番号記憶手段に記録されたチャンネル番号と同じチャンネル番号に設定するものである。
【００１２】
請求項３に記載の発明は、請求項２に記載のテレビジョン受像機において、前記録画装置による前記ＴＶ番組の録画が終了したときに、前記チューナ切り替え手段を用いて、前記ディスプレイに表示するＴＶ番組を受信するチューナを前記アナログチューナから前記デジタルチューナに切り替えると共に、該デジタルチューナを用いて受信する前記ＴＶ番組のチャンネル番号を、前記チャンネル番号設定手段を用いて前記チャンネル番号記憶手段に記録されたチャンネル番号と同じチャンネル番号に設定するものである。
【発明の効果】
【００１３】
請求項１に記載の発明によれば、デジタルチューナを用いて受信したＴＶ番組の映像をユーザが視聴しているときに、録画装置がデジタルチューナを用いてタイマ録画でＴＶ番組を録画する場合、制御手段がＴＶ番組を受信するチューナをデジタルチューナからアナログチューナに切り替えると共に、アナログチューナを用いて受信するＴＶ番組のチャンネル番号をユーザが元々視聴していたＴＶ番組のチャンネル番号に設定することができる。従って、デジタルチューナを用いて受信したＴＶ番組の映像をユーザが視聴しているときに、録画装置によるタイマ録画が発生した場合でも、ユーザが元のＴＶ番組の視聴を継続するために、チューナを切り替えたり、チャンネル番号を設定する手間をなくすことができる。
【００１４】
請求項２に記載の発明によれば、デジタルチューナを用いて受信したＴＶ番組の映像をユーザが視聴しているときに、録画装置がデジタルチューナを用いてＴＶ番組を録画する場合、制御手段がＴＶ番組を受信するチューナをデジタルチューナからアナログチューナに切り替えると共に、アナログチューナを用いて受信するＴＶ番組のチャンネル番号をユーザが元々視聴していたＴＶ番組のチャンネル番号に設定することができる。従って、デジタルチューナを用いて受信したＴＶ番組の映像をユーザが視聴しているときに、録画装置による録画が発生した場合でも、ユーザが元のＴＶ番組の視聴を継続するために、チューナを切り替えたり、チャンネル番号を設定する手間をなくすことができる。
【発明を実施するための最良の形態】
【００１５】
以下、本発明の一実施形態に係るデジタルテレビ（テレビジョン受像機）について、図１、及び図２を参照して説明する。図１は、デジタルテレビ１と、このデジタルテレビ１にケーブル３を介して接続されたハードディスクレコーダ４とから構成されたデジタル放送受信システムを示し、図２は、デジタルテレビ１の内部構成を示す。デジタルテレビ１は、テレビジョン（以下、ＴＶという）番組の映像をディスプレイ１１に表示し、ＴＶ番組の音声をスピーカ１２に出力する。ハードディスクレコーダ４は、ＴＶ番組を録画することができるハードディスク（図示せず）と、ユーザによりＴＶ番組のタイマ録画等の設定を行うための操作部４１とを備える。なお、ハードディスクレコーダ４は、地上波アナログ放送を受信することができるアナログチューナ（図示せず）を備え、地上波デジタル放送を受信することができるデジタルチューナ（図示せず）を備えていない。
【００１６】
デジタルテレビ１は、ＴＶ番組を含む地上波デジタル放送を受信するデジタルチューナ１５と、ＴＶ番組を含む地上波アナログ放送を受信するアナログチューナ１４と、デジタルチューナ１５、及びアナログチューナ１４を用いて受信したＴＶ放送信号に含まれる映像信号に対して所定の処理を行う映像信号処理部１６と、デジタルチューナ１５、及びアナログチューナ１４を用いて受信したＴＶ放送信号に含まれる音声信号に対して所定の処理を行う音声信号処理部１７と、ＴＶ番組のチャンネル設定等の操作を行うための操作部１３と、装置各部を制御する制御用マイコン２０（制御手段）とを備える。
【００１７】
また、デジタルテレビ１は、映像信号処理部１６から出力された映像信号に基いて映像、及び各種のメッセージ等を表示するディスプレイ１１と、音声信号処理部１７から出力された音声信号に基いて音声を出力するスピーカ１２と、ディスプレイ１１に出力しているＴＶ番組のチャンネル番号を記憶するメモリ１８（チャンネル番号記憶手段）と、ケーブル３を介してハードディスクレコーダ３にＴＶ番組の放送信号、及び制御用信号の送受信を行うケーブルインタフェース１９とをさらに備える。
【００１８】
制御用マイコン２０は、ディスプレイ１１に表示するＴＶ番組を受信するチューナ（デジタルチューナ１５、又はアナログチューナ１４）を切り替えるチューナ切り替え手段と、デジタルチューナ１５、又はアナログチューナ１４を用いて受信するＴＶ番組のチャンネル番号を設定するチャンネル番号設定手段として機能する。
【００１９】
次に、デジタルチューナ１５を用いて受信したＴＶ番組の映像をユーザが視聴しているときに、ハードディスクレコーダ４がデジタルチューナ１５を用いてＴＶ番組を録画する場合の処理について、図３を参照して説明する。まず、制御用マイコン２０は、ハードディスクレコーダ４がデジタルチューナ１５を用いてＴＶ番組のタイマ録画を開始するか否かを判断し（Ｓ１）、タイマ録画を開始しない場合（Ｓ２でＮＯ）、上記Ｓ１の処理を繰り返す。
【００２０】
一方、上記Ｓ１の判断の結果、タイマ録画を開始する場合（Ｓ２でＹＥＳ）、制御用マイコン２０は、デジタルチューナ１５を用いて受信しているＴＶ番組のチャンネル番号をメモリ１８に記憶した後（Ｓ３）、ディスプレイ１１に表示するＴＶ番組を受信するチューナをデジタルチューナ１５からアナログチューナ１４に切り替えると共に（Ｓ４）、アナログチューナ１４を用いて受信するＴＶ番組のチャンネル番号をメモリ１８に記録されたチャンネル番号と同じチャンネル番号に設定する（Ｓ５）。なお、ここでは、地上波デジタル放送のＴＶ番組と、地上波アナログ放送のＴＶ番組とは、同じ時間帯に、同じチャンネルで放送されているものとする。また、地上波デジタル放送のＴＶ番組情報は、ＡＲＩＢ規格によるＥＰＧ等により取得することができ、地上波アナログ放送のＴＶ番組情報は、ＡＤＡＭＳ−ＥＰＧデータやｉＥＰＧデータ等から取得することができる。そのため、これらのＴＶ番組情報を比較することにより、地上波デジタル放送と地上波アナログ放送のＴＶ番組が同じ時間帯に同じチャンネルで放送されているか否かが分かる。しかし、一般的に、地上波デジタル放送のＴＶ番組と、地上波アナログ放送のＴＶ番組とは、同じ時間帯に、同じチャンネルで放送されているので、必ずしも、地上波デジタル放送のＴＶ番組と地上波アナログ放送のＴＶ番組とが同じ時間帯に同じチャンネルで放送されているか否かをチェックする必要はない。
【００２１】
次に、制御用マイコン２０は、ハードディスクレコーダ４によるタイマ録画が終了したか否かを判断し（Ｓ６）、タイマ録画が終了していない場合（Ｓ７でＮＯ）、上記Ｓ６の処理を繰り返す。
【００２２】
一方、タイマ録画が終了した場合（Ｓ７でＹＥＳ）、制御用マイコン２０は、ディスプレイ１１に表示するＴＶ番組を受信するチューナをアナログチューナ１４からデジタルチューナ１５に切り替えると共に（Ｓ８）、デジタルチューナ１５を用いて受信するＴＶ番組のチャンネル番号を、メモリ１８に記録されたチャンネル番号と同じチャンネル番号に設定し（Ｓ９）、処理を終了する。
【００２３】
上記のように、本実施形態に係るデジタルテレビ１によれば、デジタルチューナ１５を用いて受信したＴＶ番組の映像をユーザが視聴しているときに、ハードディスクレコーダ４がデジタルチューナ１５を用いてタイマ録画でＴＶ番組を録画する場合、制御用マイコン２０がＴＶ番組を受信するチューナをデジタルチューナ１５からアナログチューナ１４に切り替えると共に、アナログチューナ１４を用いて受信するＴＶ番組のチャンネル番号をユーザが元々視聴していたＴＶ番組のチャンネル番号に設定することができる。従って、ユーザが、元のＴＶ番組の視聴を継続するために、デジタルチューナ１５からアナログチューナ１４に切り替えたり、アナログチューナ１４を用いて受信するＴＶ番組のチャンネル番号を設定する手間をなくすことができる。
【００２４】
また、ハードディスクレコーダ４のタイマ録画が終了した場合、制御用マイコン２０は、ディスプレイ１１に表示するＴＶ番組を受信するチューナをアナログチューナ１４からデジタルチューナ１５に切り替えると共に、デジタルチューナ１５を用いて受信するＴＶ番組のチャンネル番号を、メモリ１８に記録されたチャンネル番号と同じチャンネル番号に設定する。そのため、ユーザは、ハードディスクレコーダ４のタイマ録画が終了したときに、チューナをアナログチューナ１４からデジタルチューナ１５に切り替える手間や、デジタルチューナ１５を用いて受信するＴＶ番組のチャンネル番号を設定する手間をなくすことができる。
【００２５】
なお、本発明は、上記実施形態の構成に限られず、発明の趣旨を変更しない範囲で種々の変形が可能である。例えば、上記実施形態では、デジタルテレビ１がデジタルチューナ１５とアナログチューナ１４とを備え、ハードディスクレコーダ４がアナログチューナを備えている例を示したが、これに限られず、アナログチューナを備えるテレビジョン受像機と、このテレビジョン受像機に接続され、デジタルチューナ１５とアナログチューナ１４とを備えるハードディスクレコーダとから構成されてもよい。
【図面の簡単な説明】
【００２６】
【図１】本発明の一実施形態に係るデジタルテレビと、このデジタルテレビに接続されたハードディスクレコーダの外観を示す傾斜図。
【図２】上記デジタルテレビの内部構成を示すブロック図。
【図３】上記デジタルテレビにおいて、ハードディスクレコーダがデジタルチューナを用いてＴＶ番組を録画するときの処理を示すフローチャート。
【符号の説明】
【００２７】
１  デジタルテレビ（テレビジョン受像機）
４  ハードディスクレコーダ（録画装置）
１１  ディスプレイ
１４  デジタルチューナ
１５  アナログチューナ
１８  メモリ（チャンネル番号記憶手段）
２０  制御用マイコン（制御手段、チューナ切り替え手段、チャンネル番号設定手段）
【図１】
2007295339.tif 000003
【図２】
2007295339.tif 000004
【図３】
2007295339.tif 000005